(57)【要約】【課題】クライアント信号種別を意識することなく、自動的にクライアント信号を多重化したり分離したりできるようにする。【解決手段】クライアント信号電気／光変換部１が交換されたことを検出すると、クライアント信号識別部２は、交換されたクライアント信号電気／光変換部１からクライアント種別情報を読み込み、クライアント信号の信号種別を識別してクライアント信号識別情報を生成する。マッピング／デマッピング情報生成部３は、クライアント信号識別情報に基づいて、クライアント信号のマッピング先を割り当て、マッピング／デマッピング制御情報を生成する。多重／分離部４は、マッピング／デマッピング制御情報に基づいてマップエリア７を更新し、信号の多重化処理を行ったり分離処理を行う。【選択図】図１
2008227647.tif 000002
【特許請求の範囲】
【請求項１】
波長分割多重方式を用いた通信システムにおけるクライアント信号を多重化する多重化トランスポンダであって、
クライアント信号の信号種別を識別する信号種別識別手段と、
前記信号種別識別手段が識別した信号種別に基づいて、クライアント信号のマッピング先を割り当てるマッピング先割当手段と、
前記マッピング先割当手段の割り当て結果に基づいて、クライアント信号を多重化する多重化手段とを
備えたことを特徴とする多重化トランスポンダ。
【請求項２】
マッピング先割当手段の割り当て結果に基づいて、多重化された多重化信号をクライアント毎の信号に分離する信号分離手段を備えた請求項１記載の多重化トランスポンダ。
【請求項３】
クライアント装置から光信号として受信したクライアント信号を電気信号に変換する光−電気信号変換手段を備え、
前記光−電気信号変換手段は、
交換可能に構成され、
クライアント信号の信号種別を示すクライアント信号種別情報を記憶する種別情報記憶手段を含み、
信号種別識別手段は、前記光−電気信号変換手段が交換されたことを検出すると、交換された前記光−電気信号変換手段の前記種別情報記憶手段が記憶する前記クライアント信号種別情報を読み込み、読み込んだ前記クライアント信号種別情報に基づいて、クライアント信号の信号種別を識別する
請求項２記載の多重化トランスポンダ。
【請求項４】
クライアント信号を受信する複数のクライアントポートと、
各クライアントポートの割り当て先を示すマップエリアを記憶するマップエリア記憶手段と、
マッピング先割当手段の割り当て結果に基づいて、前記マップエリアを更新するマップエリア更新手段とを備え、
多重化手段は、前記マップエリア更新手段が更新するマップエリアに従って、各クライアント信号を多重化する
請求項２又は請求項３記載の多重化トランスポンダ。
【請求項５】
マッピング先割当手段は、所定の割り当てルールに従って、クライアント信号のマッピング先を割り当て、割り当てたマッピング先を特定可能なマッピング割当情報を生成する請求項２から請求項４のうちのいずれか１項に記載の多重化トランスポンダ。
【請求項６】
マッピング先割当手段が生成したマッピング割当情報を、多重化手段が多重化した多重化信号に重畳する信号重畳手段と、
前記信号重畳手段が前記マッピング割当情報を重畳した前記多重化信号を外部装置に送信する多重化信号送信手段とを備えた
請求項５記載の多重化トランスポンダ。
【請求項７】
外部装置から多重化信号を受信したときに、受信した前記多重化信号からマッピング割当情報を抽出する重畳信号抽出手段を備え、
信号分離手段は、前記重畳信号抽出手段が抽出したマッピング割当情報に基づいて、受信した前記多重化信号をクライアント毎の信号に分離する
請求項６記載の多重化トランスポンダ。
【請求項８】
波長分割多重方式を用いて多重化した信号を送受信する通信システムであって、
クライアント信号を多重化する多重化トランスポンダを備え、
前記多重化トランスポンダは、
クライアント信号の信号種別を識別する信号種別識別手段と、
前記信号種別識別手段が識別した信号種別に基づいて、クライアント信号のマッピング先を割り当てるマッピング先割当手段と、
前記マッピング先割当手段の割り当て結果に基づいて、クライアント信号を多重化する多重化手段とを含む
ことを特徴とする通信システム。
【請求項９】
波長分割多重方式を用いた通信システムにおけるクライアント信号を多重化する信号多重化方法であって、
クライアント信号の信号種別を識別するステップと、
識別した信号種別に基づいて、クライアント信号のマッピング先を割り当てるステップと、
前記マッピング先の割り当て結果に基づいて、クライアント信号を多重化するステップとを
含むことを特徴とする信号多重化方法。
【発明の詳細な説明】
【技術分野】
【０００１】
本発明は、波長分割多重方式（ＷＤＭ方式）を用いた通信システムにおけるクライアント信号を多重化する多重化トランスポンダ及び信号多重化方法に関する。また、本発明は、多重化トランスポンダを用いた通信システムに関する。
【背景技術】
【０００２】
従来、光通信を行う通信システムにおいて用いられる多重化トランスポンダでは、予め定められたマップエリアに従ってクライアント信号を多重化したり、多重化された信号を分離したりすることが行われている。また、近年、多種多様なクライアント信号の多重化や分離を行える多重化トランスポンダの需要が増加しつつある。
【０００３】
複数種別のクライアント信号を扱える通信装置として、例えば、特許文献１には、クライアント信号の種別情報に対応するフレーム解除則を選択し、選択したフレーム解除則に従ってクライアント信号を再生する装置が記載されている。また、例えば、特許文献２には、与えられた波長毎に効率的に収容するために、複数クライアント信号を波長分割多重信号（ＷＤＭ信号）にラッピングするＷＤＭ装置が記載されている。
【０００４】
【特許文献１】特開２００５−３２８２６４号公報（段落００１８、図１）
【特許文献２】特開２００３−２７４４３４号公報（段落００１７−００２１、図５）
【発明の開示】
【発明が解決しようとする課題】
【０００５】
しかし、一般に、多重化トランスポンダでは、予め定められたマップエリアを用いているため、クライアント信号を固定的に多重化したり分離したりできるにすぎない。そのため、複数のクライアントポートを備える多重化トランスポンダにおいて、任意のクライアント信号を多重化したり、任意のクライアントポートに接続して信号の入出力を行ったりすることができない。例えば、クライアントが新規契約又は契約解除したり利用サービスを変更したりした場合に、変更後のクライアント信号の種別に応じて、クライアント信号を動的に多重化したり分離したりすることはできない。
【０００６】
また、特許文献１に記載された装置では、１つの入力ポートから入力するクライアント信号の種別に応じて、選択したフレーム解除則に従ってクライアント信号を再生しているにすぎない。また、特許文献２に記載された装置では、クライアント信号をＷＤＭ信号にラッピングしているものの、クライアント信号のパスレイヤを検出してＷＤＭ側波長を割り当てているにすぎない。そのため、特許文献１や特許文献２に記載された装置を用いたとしても、複数のクライアントポートを備える多重化トランスポンダにおいて、クライアント信号の種別に応じて、クライアント信号を動的に多重化したり分離したりすることはできない。
【０００７】
そこで、本発明は、クライアント信号種別を意識することなく、自動的にクライアント信号を多重化したり分離したりできる多重化トランスポンダ、通信システム及び信号多重化方法を提供することを目的とする。
【課題を解決するための手段】
【０００８】
本発明による多重化トランスポンダは、波長分割多重方式を用いた通信システムにおけるクライアント信号を多重化する多重化トランスポンダであって、クライアント信号の信号種別（例えば、伝送レート（ＳＴＭ−１レートやＳＴＭ−４レート））を識別する信号種別識別手段（例えば、クライアント信号識別部２によって実現される）と、信号種別識別手段が識別した信号種別に基づいて、クライアント信号のマッピング先を割り当てるマッピング先割当手段（例えば、マッピング／デマッピング情報生成部３によって実現される）と、マッピング先割当手段の割り当て結果に基づいて、クライアント信号を多重化する多重化手段（例えば多重／分離部４によって実現される）とを備えたことを特徴とする。
【０００９】
また、多重化トランスポンダは、マッピング先割当手段の割り当て結果に基づいて、多重化された多重化信号（例えば、ＷＤＭ信号）をクライアント毎の信号に分離する信号分離手段（例えば、多重／分離部４によって実現される）を備えたものであってもよい。
【００１０】
また、多重化トランスポンダは、クライアント装置から光信号として受信したクライアント信号を電気信号に変換する光−電気信号変換手段（例えば、クライアント信号電気／光変換部１によって実現される）を備え、光−電気信号変換手段は、交換可能に構成され、クライアント信号の信号種別を示すクライアント信号種別情報（例えば、クライアント種別情報（例えば、クライアント信号の伝送レートを示す情報））を記憶する種別情報記憶手段（例えば、クライアント信号電気／光変換部１が備える不揮発性メモリ等の記憶部）を含み、信号種別識別手段は、光−電気信号変換手段が交換されたことを検出すると、交換された光−電気信号変換手段の種別情報記憶手段が記憶するクライアント信号種別情報を読み込み、読み込んだクライアント信号種別情報に基づいて、クライアント信号の信号種別を識別するものであってもよい。
【００１１】
また、多重化トランスポンダは、クライアント信号を受信する複数のクライアントポートと、各クライアントポートの割り当て先を示すマップエリア（例えば、図２に示すマップエリア７）を記憶するマップエリア記憶手段（例えば、多重／分離部４が備えるメモリ等の記憶部によって実現される）と、マッピング先割当手段の割り当て結果に基づいて、マップエリアを更新するマップエリア更新手段（例えば、多重／分離部４によって実現される）とを備え、多重化手段は、マップエリア更新手段が更新するマップエリアに従って、各クライアント信号を多重化するものであってもよい。
【００１２】
また、多重化トランスポンダにおいて、マッピング先割当手段は、所定の割り当てルールに従って、クライアント信号のマッピング先を割り当て、割り当てたマッピング先を特定可能なマッピング割当情報（例えば、マッピング／デマッピング制御情報）を生成するものであってもよい。
【００１３】
また、多重化トランスポンダは、マッピング先割当手段が生成したマッピング割当情報を、多重化手段が多重化した多重化信号に重畳する信号重畳手段（例えば、マッピング情報挿入終端部８によって実現される）と、信号重畳手段がマッピング割当情報を重畳した多重化信号を外部装置に送信する多重化信号送信手段（例えば、ＷＤＭ信号電気／光変換部５によって実現される）とを備えたものであってもよい。
【００１４】
また、多重化トランスポンダは、外部装置から多重化信号を受信したときに、受信した多重化信号からマッピング割当情報を抽出する重畳信号抽出手段（例えば、マッピング情報挿入終端部８によって実現される）を備え、信号分離手段は、重畳信号抽出手段が抽出したマッピング割当情報に基づいて、受信した多重化信号をクライアント毎の信号に分離するものであってもよい。
【００１５】
本発明による通信システムは、波長分割多重方式を用いて多重化した信号を送受信する通信システム（例えば、ＷＤＭシステム）であって、クライアント信号を多重化する多重化トランスポンダを備え、多重化トランスポンダは、クライアント信号の信号種別を識別する信号種別識別手段と、信号種別識別手段が識別した信号種別に基づいて、クライアント信号のマッピング先を割り当てるマッピング先割当手段と、マッピング先割当手段の割り当て結果に基づいて、クライアント信号を多重化する多重化手段とを含むことを特徴とする。
【００１６】
本発明による信号多重化方法は、波長分割多重方式を用いた通信システムにおけるクライアント信号を多重化する信号多重化方法であって、クライアント信号の信号種別を識別するステップと、識別した信号種別に基づいて、クライアント信号のマッピング先を割り当てるステップと、マッピング先の割り当て結果に基づいて、クライアント信号を多重化するステップとを含むことを特徴とする。
【発明の効果】
【００１７】
本発明によれば、クライアント信号の信号種別を識別し、識別した信号種別に基づいて、クライアント信号のマッピング先を割り当て、マッピング先の割り当て結果に基づいて、クライアント信号を多重化する。そのため、クライアント種別を意識せずに、クライアント信号を任意のクライアントポートに接続して、自動的にクライアント信号を多重化することができる。
【００１８】
また、本発明によれば、マッピング先の割り当て結果に基づいて、多重化された多重化信号をクライアント毎の信号に分離するように構成すれば、クライアント信号種別を意識することなく、多重化信号から自動的にクライアント信号を分離することができる。
【発明を実施するための最良の形態】
【００１９】
以下、本発明の実施の形態を図面を参照して説明する。本発明では、波長分割多重システム（ＷＤＭシステム）用の多重化トランスポンダにおいて、クライアント種別を任意選択可能に構成する。具体的には、複数の任意のクライアント信号を自動的に多重化して多重化信号を生成したり、多重化信号を自動的に分離したりすることを可能とする。本発明では、多重化トランスポンダは、各クライアント信号に対するクライアント信号種別を識別し、その識別情報に基づいて信号の多重化／分離処理を自動的に行う。そのようにすることによって、クライアント信号種別を意識することなく、信号を自動的に多重化したり分離したりすることを可能としている。
【００２０】
図１は、本発明による信号多重化方法を用いた多重化トランスポンダの構成の一例を示すブロック図である。図１に示すように、多重化トランスポンダは、複数のクライアント信号電気／光変換部１と、クライアント信号識別部２と、マッピング／デマッピング制御情報生成部３と、多重／分離部４と、ＷＤＭ信号電気／光変換部５と、マッピング情報挿入終端部８とを含む。本実施の形態において、多重化トランスポンダは、例えば、ＷＤＭ方式を用いて多重化した信号を送受信する通信システム（ＷＤＭシステム）に適用される。
【００２１】
本実施の形態では、多重化トランスポンダは、クライアント信号としてＳＤＨ信号を受信して多重化を行うものとする。また、多重化トランスポンダは、多重化された信号をＳＤＨ信号として受信して分離するものとする。なお、多重化トランスポンダが送受信する信号は、ＳＤＨ信号に限らず、他の形式の信号を多重化／分離して中継するものであってもよい。例えば、多重化トランスポンダは、ＧｂＥや１０ＧｂＥ等のイーサネット（登録商標）で用いられる信号を多重化／分離して中継するものであってもよい。また、例えば、多重化トランスポンダは、ファイバチャネルで用いられる信号を多重化／分離して中継するものであってもよい。
【００２２】
図１に示すように、多重化トランスポンダは、クライアント装置（例えば、クライアントが用いるパーソナルコンピュータ等の情報処理端末）からクライアント信号を入力する複数のクライアントポートを含む。また、多重化トランスポンダは、クライアントポート毎に、クライアント信号電気／光変換部１を含む。
【００２３】
各クライアント信号電気／光変換部１は、クライアント装置からのクライアント信号を、対応するクライアントポートから光信号として受信する機能を備える。また、各クライアント信号電気／光変換部１は、入力した光信号を電気信号に変換（光−電気変換）して多重／分離部４に出力する機能を備える。また、各クライアント信号電気／光変換部１は、多重／分離部４から入力した電気信号を光信号に変換（電気−光変換）して、クライアントポートを介してクライアント装置に送信する機能を備える。
【００２４】
また、本実施の形態では、各クライアント信号電気／光変換部１は、多重化トランスポンダから取り外して交換可能に構成されている。例えば、各クライアント信号電気／光変換部１は、ユニット化されることによって挿入抜去可能に構成されている。そして、各クライアント信号電気／光変換部１は、例えば、クライアントが新規契約又は契約解除したり利用サービスを変更したりした場合に、接続対象のクライアント装置のクライアントインタフェースに応じて差し替えられる。
【００２５】
また、各クライアント信号電気／光変換部１は、不揮発性メモリ等の記憶部を備え、クライアント信号の種別を示すクライアント種別情報を記憶部に記憶している。例えば、各クライアント信号電気／光変換部１は、クライアント種別情報として、クライアント信号の伝送レート（例えば、ＳＴＭ−１レート（１５５．５２Ｍｂｐｓ）やＳＴＭ−４レート（６２２．０８Ｍｂｐｓ））を示す情報を記憶部に記憶している。
【００２６】
クライアント信号識別部２は、クライアント信号の信号種別を識別する機能を備える。具体的には、クライアント信号識別部２は、各クライアント信号電気／光変換部１からクライアント種別信号を収集し、クライアント種別を識別可能なクライアント識別情報を生成し、マッピング／デマッピング制御情報生成部３に出力する。
【００２７】
本実施の形態では、いずれかのクライアント信号電気／光変換部１の交換が行われると、クライアント信号識別部２は、交換されたクライアント信号電気／光変換部１の記憶部からクライアント種別信号を読み込む。また、クライアント信号識別部２は、読み込んだクライアント種別信号と、その交換されたクライアント信号電気／光変換部１に対応するクライアントポートのポート番号とを対応付けたクライアント識別情報を生成し、マッピング／デマッピング制御情報生成部３に出力する。
【００２８】
マッピング／デマッピング制御情報生成部３は、クライアント信号識別部２が識別した信号種別にも基づいて、クライアント信号のマッピング先を割り当てる機能を備える。具体的には、マッピング／デマッピング情報生成部３は、クライアント信号識別情報に基づいて、信号をマッピングしたりデマッピングしたりするためのマッピング／デマッピング制御情報を生成する。また、マッピング／デマッピング制御情報生成部３は、生成したマッピング／デマッピング制御情報を多重／分離部４及びマッピング情報挿入終端部８に出力する。
【００２９】
本実施の形態では、マッピング／デマッピング制御情報生成部３は、マップエリアの空き状況に従って、交換されたクライアント信号電気／光変換部１の信号のマッピング先をマップエリアのどの範囲に割り当てるかを判断する。そして、マッピング／デマッピング制御情報生成部３は、マッピング先の判断結果に応じて、マッピング先を特定可能なマッピング／デマッピング制御情報を生成する。例えば、マッピング／デマッピング制御情報生成部３は、マッピングエリアのどの範囲のエリアに何番目のポートを割り当てるかを特定可能なマッピング／デマッピング制御情報を生成する。
【００３０】
多重／分離部４は、各クライアント信号電気／光変換部１から入力した電気信号を、多重化する機能を備える。また、多重／分離部４は、ＷＤＭ信号電気／光変換部５から入力した多重化された電気信号を分離して、各クライアント信号電気／光変換部１に出力する機能を備える。
【００３１】
図２は、多重／分離部４の構成の一例を示すブロック図である。図２に示すように、多重／分離部４は、データ信号クロスコネクト部６と、マップエリア７とを含む。例えば、多重／分離部４は、各クライアントポートの割り当て先を示すマップエリア７をメモリ等の記憶部に記憶している。例えば、時分割多重方式を用いて電気信号を多重化する場合には、多重／分離部４は、各クライアントポートをそれぞれ時間空間上のいずれの領域に割り当てるかを示すマップエリア７を記憶部に記憶する。本実施の形態では、データ信号クロスコネクト部６は、記憶部に記憶するマップエリア７に従って各信号をマッピングすることによって、複数の電気信号の多重化を行う。例えば、データ信号クロスコネクト部６は、時分割多重方式等の多重化方式を用いて、複数の電気信号を多重化する。また、データ信号クロスコネクト部６は、記憶部に記憶するマップエリア７に従って信号をデマッピングすることによって、多重化された信号をクライアント毎に分離する。
【００３２】
また、本実施の形態では、多重化トランスポンダは、ＷＤＭ側に多重化した光信号を送信する際には、光信号（多重化信号）にマッピング／デマッピング制御情報を重畳して外部装置（例えば、他の多重化トランスポンダ）に送信することがある。また、多重化トランスポンダは、ＷＤＭ側の外部装置から、マッピング／デマッピング制御情報が重畳された光信号（多重化信号）を受信することがある。本実施の形態では、多重／分離部４のデータ信号クロスコネクト部６は、受信した多重化信号にマッピング／デマッピング制御情報が重畳されている場合には、重畳されたマッピング／デマッピング制御情報に従ってデマッピングすることによって、多重化された信号（電気信号に変換後の多重化信号）をクライアント毎に分離する。
【００３３】
また、多重／分離部４のデータ信号クロスコネクト部６は、マッピング／デマッピング制御情報生成部３から入力したマッピング／デマッピング制御情報に基づいて、記憶部に記憶するマップエリア７を更新する機能を備える。
【００３４】
ＷＤＭ信号電気／光変換部５は、多重／分離部４から入力した多重化後の電気信号を光信号に変換（電気−光変換）し、ＷＤＭ側の外部装置（例えば、他の多重化トランスポンダ）に送信する機能を備える。なお、多重化トランスポンダがＷＤＭ側に出力した光信号（多重化信号）は、さらに、ＷＤＭシステムが備える波長分割多重方式を用いた多重化装置（図示せず）によって多重化され、ＷＤＭ信号として出力される。また、ＷＤＭ信号電気／光変換部５は、ＷＤＭ側の外部装置から光信号として受信した光信号（多重化信号）を電気信号に変換（光−電気変換）し、多重／分離部４に出力する機能を備える。
【００３５】
マッピング情報挿入終端部８は、外部装置にマッピング情報を伝達するために、多重／分離部４が多重化した信号に、マッピング／デマッピング制御情報を挿入（具体的には、情報を重畳）する機能を備える。したがって、本実施の形態では、多重化トランスポンダは、マッピング／デマッピング制御情報が重畳された光信号（多重化信号）を、ＷＤＭ側の外部装置等の下流装置に転送（例えば、他の多重化トランスポンダに送信）することがある。
【００３６】
また、マッピング情報挿入終端部８は、多重化された光信号（多重化信号）を受信したときに、受信した多重化信号に重畳されている信号を終端処理する機能を備える。具体的には、マッピング情報挿入終端部８は、受信した多重化信号（電気信号に変換後の多重化信号）にマッピング／デマッピング制御情報が重畳されているか否かを検出し、重畳されていれば、多重化信号からマッピング／デマッピング制御情報を抽出する。この場合、多重／分離部４は、マッピング情報挿入終端部８が抽出したマッピング／デマッピング制御情報に従って信号をデマッピングすることによって、クライアント毎に信号を分離する。
【００３７】
次に、動作について説明する。図３は、多重化トランスポンダにおいて、いずれかのクライアント信号電気／光変換部１が交換された場合に、マップエリアを更新して信号の多重化及び分離を行う動作の一例を示す流れ図である。
【００３８】
多重化トランスポンダを運営するサービス事業者（例えば、インターネットサービスプロバイダ）は、例えば、クライアントが新規契約又は契約解除したり利用サービスを変更したりすると、そのクライアントに対するサービス提供に用いるクライアントポートのクライアント信号電気／光変換部１の交換を行う（ステップＳ１１）。この場合、サービス業者は、サービスの契約内容や変更内容に応じたクライアント種別（例えば、伝送レート）を示すクライアント種別情報を設定してクライアント信号電気／光変換部１の記憶部に記憶させ、クライアント信号電気／光変換部１の交換作業を行う。
【００３９】
クライアント信号電気／光変換部１が交換されたことを検出すると、クライアント信号識別部２は、交換されたクライアント信号電気／光変換部１の記憶部からクライアント種別情報を読み込む（ステップＳ１２）。
【００４０】
次いで、クライアント信号識別部２は、読み込んだクライアント種別情報に基づいてクライアント信号識別情報を生成し、マッピング／デマッピング制御情報生成部３に出力する（ステップＳ１３）。例えば、クライアント信号識別部２は、読み込んだクライアント種別情報と、クライアント信号電気／光変換部１が交換されたクライアントポートとを識別可能な情報（例えば、ポート番号）とを含むクライアント信号識別情報を生成する。
【００４１】
次いで、マッピング／デマッピング制御情報生成部３は、入力したクライアント信号識別情報に基づいて、マッピング／デマッピング制御情報を生成し、多重／分離部４に出力する（ステップＳ１４）。
【００４２】
例えば、マッピング／デマッピング制御情報生成部３は、各クライアントポートに対応する現在のクライアント種別をメモリ等の記憶部に記憶している。マッピング／デマッピング制御情報生成部３は、クライアント信号識別部２から新たにクライアント識別情報を入力すると、入力したクライアント識別情報に基づいて、記憶部に記憶する情報のうち、交換作業が行われたクライアントポートに対応するクライアント種別を更新する。そして、マッピング／デマッピング制御情報生成部３は、更新後の記憶部の情報に基づいて、各クライアントポートのクライアント種別に基づいてマッピング／デマッピング制御情報を生成し、多重／分離部４に出力する。
【００４３】
そして、多重／分離部４は、入力したマッピング／デマッピング制御情報に基づいて、メモリ等の記憶部に記憶するマップエリアを更新する（ステップＳ１５）。
【００４４】
その後、実際にクライアント装置に対する通信が行われると、多重化トランスポンダは、更新後のマップエリアに基づいて、自動的に信号の多重化処理や分離処理を行う（ステップＳ１６）。
【００４５】
具体的には、各クライアントポートのクライアント信号電気／光変換部１は、クライアント信号を光信号として受信すると、クライアント信号を光−電気変換して電気信号を多重／分離部４に出力する。次いで、多重／分離部４は、更新後のマップエリアに基づいて、クライアント信号電気／光変換部１から入力した信号を多重化する。この場合、例えば、多重／分離部４は、時分割多重方式等の多重化方式を用いて、複数の電気信号を多重化する。そして、ＷＤＭ信号電気／光変換部５は、多重／分離部４からの電気信号を光信号に変換してＷＤＭ側の外部装置に送信する。
【００４６】
また、ＷＤＭ信号電気／光変換部５は、ＷＤＭ側の外部装置から光信号（多重化信号）を受信すると、受信した光信号（多重化信号）を光−電気変換して電気信号を多重／分離部４に出力する。次いで、多重／分離部４は、更新後のマップエリアに基づいて、ＷＤＭ信号電気／光変換部５から入力した電気信号（多重化信号）をクライアント毎の信号に分離して、各クライアント信号電気／光変換部１に出力する。そして、各クライアント信号電気／光変換部１は、多重／分離部４からの電気信号を電気−光変換して、それぞれクライアントポートを介して光出力する。
【００４７】
なお、多重／分離部４は、受信した多重化信号にマッピング／デマッピング制御情報が重畳されている場合には、マッピング情報挿入終端部８が取り出したマッピング／デマッピング制御情報に基づいて、電気信号（多重化信号）をクライアント毎の信号に分離する。また、多重／分離部４は、マッピング／デマッピング情報生成部３から入力したマッピング／デマッピング制御情報に基づいて、信号の多重化処理や分離処理を行ってもよい。
【００４８】
マップエリアの更新について図２を用いて具体的に説明する。図２に示すように、多重／分離部４がマッピング／デマッピング可能な最大伝送レートをＳＴＭ−６４レート（９９５３．２８Ｇｂｐｓ）とする。また、多重化トランスポンダのクライアントポート数を８ポートとし、各クライアント装置は、ＳＴＭ−１レート（１５５．５２Ｍｂｐｓ）、ＳＴＭ−４レート（６２２．０８Ｍｂｐｓ）又はＳＴＭ−１６レート（２４８８．３２Ｍｂｐｓ）のいずれかの伝送レートを用いてクライアント信号を送受信するものとする。なお、多重化トランスポンダが収納可能なクライアントポート数は８ポートに限らず、例えば、９ポート以上であってもよい。
【００４９】
以上の処理が実行されることによって、多重化トランスポンダは、いずれかのクライアント信号電気／光変換部１が交換される毎に、マップエリアを更新する。そして、多重化トランスポンダは、更新後のマップリアに従って信号の多重化処理や分離処理を実行するように制御する。
【００５０】
また、図２に示す例では、クライアントポート１〜４から入力するクライアント信号のクライアント種別としての伝送レートがＳＴＭ−１レートであり、クライアントポート５，６から入力するクライアント信号の伝送レートがＳＴＭ−４レートであり、クライアントポート７，８から入力するクライアント信号の伝送レートがＳＴＭ−１６レートであるとする。
【００５１】
マッピング／デマッピング情報生成部３は、例えば、所定の割り当てルールに従って、各クライアントポート１〜８をマップエリア７上の各領域に割り当てたマッピング／デマッピング制御情報を生成する。
【００５２】
例えば、クライアント種別（伝送レート）がＳＴＭ−１レートであるクライアントポートについてはマップエリア７の１〜１６の領域に割り当て、ＳＴＭ−４であるクライアントポートについてはマップエリア７の１７〜３７の領域に割り当て、ＳＴＭ−１６であるクライアントポートについてはマップエリア７の３３〜６４の領域に割り当てるという割り当てルールに従って、各クライアントポート１〜８をマップエリア７の各領域に割り当てるものとする。
【００５３】
上記の割り当てルールを用いる場合、マッピング／デマッピング情報生成部３は、例えば、クライアントポート１〜４については、割り当てルールに従って、図２に示すように、マップエリア７の１〜４にそれぞれ割り当てることを示すマッピング／デマッピング制御情報を生成する。また、マッピング／デマッピング情報生成部３は、例えば、クライアントポート５，６については、割り当てルールに従って、図２に示すように、マップエリア７の１７〜２０の領域と、２１〜２４の領域とにそれぞれ割り当てることを示すマッピング／デマッピング制御情報を生成する。また、マッピング／デマッピング情報生成部３は、例えば、クライアントポート７，８については、割り当てルールに従って、図２に示すように、マップエリア７の３３〜４８の領域と、４９〜６４の領域とにそれぞれ割り当てることを示すマッピング／デマッピング制御情報を生成する。
【００５４】
多重／分離部４のデータ信号クロスコネクト部６は、マッピング／デマッピング情報生成部３からマッピング／デマッピング制御情報を入力すると、そのマッピング／デマッピング制御情報に基づいて、自動的にマップエリア７を更新する。そして、データ信号クロスコネクト部６は、更新後のマップエリア７に基づいて信号の多重化／分離の処理を行う。そのようにすることによって、各クライアントポート１〜８に対するデータ信号を、任意のクライアントポート１〜８にパス選択して接続可能としている。
【００５５】
なお、上記に示した割り当てルールは一例であり、マッピング／デマッピング情報生成部３は、他の割り当てルールに従って、各クライアントポート１〜８をマップエリア７上に自動的に割り当ててもよい。例えば、マップエリア７の１つめの領域から順番に詰めて各クライアントポート１〜８を割り当てる等、割り当てルールは、本実施の形態で示したものに限られない。
【００５６】
以上のように、本実施の形態によれば、多重化トランスポンダにおいて、クライアント信号識別部２は、クライアント信号電気／光変換部１が交換されたクライアントポートのクライアント信号の信号種別を識別する。また、マッピング／デマッピング情報生成部３は、クライアント信号識別部２が識別した信号種別に基づいて、クライアント信号のマッピング先を割り当てる。そして、多重／分離部４は、マッピング／デマッピング情報生成部３の割り当て結果に基づいて、クライアント信号を多重化したり、多重化信号をクライアント毎の信号に分離する。
【００５７】
本実施の形態によれば、クライアント種別を識別して自動的に信号の多重化処理や分離処理を行うことができるので、クライアント種別を意識せずに、任意のクライアントポートに接続して入出力を行えるようにできる。また、クライアントの新規契約や契約解除、サービス変更があった場合であっても、マップエリアを動的に更新してクライアント信号を多重化したり分離したりすることができる。従って、クライアント信号種別を意識することなく、自動的にクライアント信号を多重化したり分離したりすることができる。
【産業上の利用可能性】
【００５８】
本発明は、ＷＤＭ方式を用いた通信システムにおける信号を多重化する多重化トランスポンダに適用できる。また、本発明は、ＷＤＭ方式を用いて多重化した信号を送受信する通信システム（ＷＤＭシステム）に適用できる。
【図面の簡単な説明】
【００５９】
【図１】本発明によるマッピング方法を用いた多重化トランスポンダの構成の一例を示すブロック図である。
【図２】多重／分離部の構成の一例を示すブロック図である。
【図３】マップエリアを更新して信号の多重化及び分離を行う動作の一例を示す流れ図である。
【符号の説明】
【００６０】
１  クライアント信号電気／光変換部
２  クライアント信号識別部
３  マッピング／デマッピング情報生成部
４  多重／分離部
５  ＷＤＭ信号電気／光変換部
６  データ信号クロスコネクト部
７  マップエリア
８  マッピング情報挿入終端部
【図１】
2008227647.tif 000003
【図２】
2008227647.tif 000004
【図３】
2008227647.tif 000005